(57)【要約】  本発明は多重経路データの記録及び再生を管理するためのデータ構造を有する記録媒体と、データ構造の記録及び再生方法及び装置に関する。記録媒体にはそｎ記録媒体に記録される多重再生経路ビデオデータの再生を管理するナビゲーション管理情報が格納される少なくとも一つのナビゲーション領域がある。ナビゲーション領域には複数のデータブロックそれぞれに対応する複数のアングル変更記録情報が設けられている。
2005531873.tif 000002
【特許請求の範囲】
【請求項１】
記録媒体に記録される少なくとも多重再生経路ビデオデータの再生を管理するためのデータ構造を有する記録媒体において、
前記記録媒体に記録される多重再生経路ビデオデータの再生を管理するためのナビゲーション管理情報が格納される少なくとも一つのナビゲーション領域を含み、
前記少なくとも一つのナビゲーション領域には複数のビデオデータブロックそれぞれに対応するアングル変更記録情報があることを特徴とする記録媒体。
【請求項２】
前記ナビゲーション管理情報はエントリーポイントマップを含むことを特徴とする請求項１記載の記録媒体。
【請求項３】
前記ナビゲーション管理情報は、前記複数のビデオデータブロックのうち対応する一つに対するエントリーポイントをビデオストリームに含むことを特徴とする請求項１記載の記録媒体。
【請求項４】
前記ナビゲーション管理情報は、前記複数のビデオデータブロックのうち対応する一つに対するプレゼンテーションタイムスタンプ開始ポイントをビデオストリームに含むことを特徴とする請求項１記載の記録媒体。
【請求項５】
前記ナビゲーション管理情報は前記複数のビデオデータブロックのうち対応する一つに対するソースパケット識別情報を含むことを特徴とする請求項１記載の記録媒体。
【請求項６】
前記ナビゲーション情報は、前記複数のビデオブロックのうち対応する一つに対するエントリーポイントをビデオストリームに含むことを特徴とする請求項１記載の記録媒体。
【請求項７】
前記ナビゲーション管理情報は前記複数のビデオデータブロックのうち対応する一つに対するビデオストリーム類型情報を含むことを特徴とする請求項１記載の記録媒体。
【請求項８】
前記ナビゲーション管理情報は前記複数のビデオデータブロックのうち対応する一つに含まれる最後のＩ−Ｐｉｃｔｕｒｅのアドレスを指すＩ−Ｐｉｃｔｕｒｅオフセット情報を含むことを特徴とする請求項１記載の記録媒体。
【請求項９】
前記ナビゲーション管理情報は、前記複数のビデオデータブロックのうち対応する一つに対するエントリーポイント、前記複数のビデオデータブロックのうち対応する一つに対するプレゼンテーションタイムスタンプ開始ポイント、前記複数のビデオデータブロックのうち対応する一つに対するソースパケット識別情報、前記複数のビデオデータブロックのうち対応する一つに対するビデオストリーム類型情報、及び前記複数のビデオデータブロックのうち対応する一つに含まれる最後のＩ−Ｐｉｃｔｕｒｅのアドレスを指すＩ−Ｐｉｃｔｕｒｅオフセット情報をビデオストリームに含むことを特徴とする請求項１記載の記録媒体。
【請求項１０】
複数のビデオデータブロックそれぞれに対応する前記アングル変更記録情報はアングル変更が許されるのか否かを指すことを特徴とする記録媒体。
【請求項１１】
複数のビデオデータブロックそれぞれに対応する前記アングル変更記録情報はアングル変更ポイント情報を含むことを特徴とする請求項１記載の記録媒体。
【請求項１２】
複数のビデオデータブロックそれぞれに対応する前記アングル変更記録情報はそのビデオデータブロックにある最後のインタリーブされたビデオユニットのアドレスを含むことを特徴とする請求項１記載の記録媒体。
【請求項１３】
複数のビデオデータブロックそれぞれに対応する前記アングル変更記録情報はそのビデオデータブロックでアングル変更が許される位置を指示することを特徴とする請求項１記載の記録媒体。
【請求項１４】
前記多重再生経路ビデオデータはアングル変更記録情報により参照されるアングルブロック単位で記録されることを特徴とする請求項１記載の記録媒体。
【請求項１５】
各再生経路データに対するデータは一つまたはそれ以上のアングルブロックとして記録されて、そのアングルブロックはインタリーブされることを特徴とする請求項１４記載の記録媒体。
【請求項１６】
少なくとも多重再生経路ビデオデータの再生を管理するためのデータ構造を記録媒体に記録する方法であって、
前記記録媒体の少なくとも一つのナビゲーション領域に、前記多重再生経路ビデオデータの再生を管理するためのナビゲーション管理情報を記録することを含み、  前記少なくとも一つのナビゲーション領域には複数のビデオデータブロックそれぞれに対応する複数のアングル変更記録情報があることを特徴とする方法。
【請求項１７】
記録媒体に記録された少なくとも多重再生経路ビデオデータの再生を管理するためのデータ構造を再生する方法であって、
前記多重再生経路ビデオデータの再生を管理するためのナビゲーション管理情報を前記記録媒体の少なくとも一つのナビゲーション領域から再生することを含み、
前記少なくとも一つのナビゲーション領域には複数のビデオデータブロックそれぞれに対応する複数のアングル変更記録情報があることを特徴とする方法。
【請求項１８】
少なくとも多重再生経路ビデオデータの再生を管理するためのデータ構造を記録媒体に記録する装置において、
前記記録媒体にデータを記録する光記録手段を駆動するドライブと、
前記記録媒体の少なくとも一つのナビゲーション領域に、前記多重再生経路ビデオデータの再生を管理するためのナビゲーション管理情報を記録するように、前記ドライブを制御するコントローラとを含み、  前記少なくとも一つのナビゲーション領域には複数のビデオデータブロックそれぞれに対応する複数のアングル変更記録情報があることを特徴とする装置。
【請求項１９】
記録媒体に記録されたデータを再生する光再生手段を駆動するドライブと、
前記多重再生経路ビデオデータの再生を管理するためのナビゲーション管理情報を前記記録媒体の少なくとも一つのナビゲーション領域から再生して前記ナビゲーション管理情報においてアングル変更許可を検出した場合にだけアングル変更を実行するように、前記ドライブを制御するコントローラとを含む、
記録媒体に記録された少なくとも多重再生経路ビデオデータの再生を管理するためのデータ構造を再生する装置。
【発明の詳細な説明】
【技術分野】
【０００１】
本発明は多重再生経路ビデオデータの再生を管理するためのデータ構造を有する記録媒体、多重再生経路ビデオデータを再生して記録するための装置及び方法に関する。
【背景技術】
【０００２】
最近、高画質のビデオデータと高音質のオーディオデータを高容量で記録できる新しい高密度再生専用または再記録可能光ディスクに対する規格化作業が急速に進み、再記録可能ブルーレイディスク（ＢＤ−ＲＥ）のような新しい光ディスクと関連した製品がまもなく商用化されるものと期待されている。
【０００３】
図１は、再記録可能ブルーレイディスク（ＢＤ−ＲＥ）のファイル構造を示したものである。図１に示したように、データ構造は少なくとも一つの「ＢＤＡＶ」ディレクトリを有するルートディレクトリを含む。「ＢＤＡＶ」ディレクトリには「ｉｎｆｏ．ｂｄａｖ」、「ｍｅｎｕ．ｔｉｄｘ」、「ｍａｒｋ．ｔｉｄｘ」、「＊．ｒｐｌｓ」、「＊．ｖｐｌｓ」のような再生リストファイルが格納されるＰＬＡＹＬＩＳＴサブディレクトリ、「＊．ｃｌｐｉ」のようなクリップ情報ファイルが格納されるＣＬＩＰＩＮＦサブディレクトリ、クリップ情報ファイルに対応するＭＰＥＧ−２フォーマットのＡ／Ｖストリームクリップファイルが格納されるＳＴＲＥＡＭサブディレクトリが含まれる。図１は、ディスクのデータ構造だけでなくディスクの領域をも示している。例えば、「ｉｎｆｏ．ｂｄａｖ」のような一般情報ファイルはディスクの一般情報領域に格納される。
【０００４】
図１に示したＢＤ−ＲＥのデータ構造とディスクフォーマットは広く知られて容易に利用できるので、以後ファイル構造に対しては簡単に説明する。
【０００５】
前述したように、ＳＴＲＥＡＭディレクトリにはクリップと呼ばれるＭＰＥＧ−２フォーマットのＡ／Ｖストリームファイルが含まれており、またブリッジ−クリップＡ／Ｖストリームファイルという特別な形態のクリップも含まれることがある。ブリッジ−クリップはクリップのうちから選択された二つ以上の再生区間を滑らかに連結するために使われるもので、一般にクリップに比べてサイズが小さい。Ａ／Ｖストリームにはビデオオーディオデータのソースパケットが含まれる。ビデオオーディオデータのソースパケットにはヘッダーと伝送パケットが含まれる。一つのソースパケットには自身にアクセスするためのアドレス役割を果たすソースパケット番号（ＳＰＮ）が含まれる。そのソースパケット番号は一般に順番に番号が割り当てられる。伝送パケットには一つのパケットＩＤ（ＰＩＤ）が含まれる。ＰＩＤは伝送パケットが属する一連の伝送パケットを識別する。一連の伝送パケット内の各伝送パケットはＰＩＤが同じである。以後、一連の伝送パケットを伝送パケットシーケンスという。
【０００６】
ＣＬＩＰＩＮＦディレクトリには各Ａ／Ｖストリームファイルに連係するクリップ情報ファイルが含まれる。クリップ情報ファイルは連係するＡ／Ｖストリームの類型、シーケンス情報、プログラム情報、タイミング情報を指示する。シーケンス情報は到着時間基準（ＡＴＣ）シーケンスとシステム時間基準（ＳＴＣ）シーケンスを記述する。例えば、シーケンス情報はシーケンスの数、各シーケンスの開始と終わり時間情報、各シーケンス内の一番目のソースパケットのアドレス、各シーケンスにある伝送パケットのＰＩＤを指示する。プログラムのコンテンツが続く伝送パケットシーケンスはプログラムシーケンスと呼ばれる。プログラム情報はプログラムシーケンスの個数、各プログラムシーケンスの開始アドレス、プログラムシーケンスにある伝送パケットのＰＩＤを指示する。
【０００７】
タイミング情報は特徴ポイント情報（ＣＰＩ）と呼ばれる。ＣＰＩの一形態がエントリーポイントマップ（ＥＰマップ）である。ＥＰマップは、例えば、到着時間ＡＴＣ及び／またはシステム時間ＳＴＣを基準にして、ソースパケットのアドレス（例えば、ソースパケットの番号）に対するタイムスタンプを表示する。
【０００８】
ＰＬＡＹＬＩＳＴディレクトリには一つ以上の再生リストファイルがある。再生リストは再生のためのクリップを容易に編集したり組み合わせるために導入された概念である。再生リストファイルはクリップにある再生区間の集合であって、各再生区間は再生アイテムと呼ばれる。再生リストファイルは再生リストを形成する各再生アイテムを識別して、各再生アイテムは、クリップの時間軸上の位置（例えば、ＡＴＣまたはＳＴＣ基準でプレゼンテーションタイムスタンプ（ＰＴＳ））を示すＩＮ−ｐｏｉｎｔとＯＵＴ−ｐｏｉｎｔの対である。換言すれば、再生リストファイルは再生アイテムを識別して、各再生アイテムは一つのクリップまたはその一部を指示してクリップと連係するクリップ情報ファイルを識別する。クリップ情報ファイルは再生アイテムをソースパケットのクリップに連結するために使用される。
【０００９】
ＰＬＡＹＬＩＳＴディレクトリには実再生リスト（＊．ｒｐｌｓ）と仮想再生リスト（＊．ｖｐｌｓ）が含まれる。実再生リストはクリップだけを用いてブリッジ−クリップは用いることができない。すなわち、実再生リストはクリップの一部を参照することと見られるので、概念的にディスク上でクリップの一部を参照することと同等なことと見られる。仮想再生リストはクリップとブリッジ−クリップをすべて用いることができるので、実再生リストの概念は仮想再生リストと並存しない。
【００１０】
「ｉｎｆｏ．ｂｄａｖ」ファイルは光ディスクに記録されるＡ／Ｖストリームの再生を管理する一般的な情報を提供する一般情報ファイルである。同じＢＤＡＶディレクトリのＰＬＡＹＬＩＳＴディレクトリにある再生リストのファイル名を識別する再生リスト目録を含む。
【００１１】
「ｍｅｎｕ．ｔｉｄｘ」、「ｍｅｎｕ．ｔｄｔ１」、「ｍｅｎｕ．ｔｄｔ２」ファイルはメニューサムネイルと関連した情報を格納する。「ｍａｒｋ．ｔｉｄｘ」、「ｍａｒｋ．ｔｄｔ１」、「ｍａｒｋ．ｔｄｔ２」ファイルはマークサムネイルと関連した情報を格納する。このようなファイルは本発明と直接的な関連がないので、これ以上詳細な説明は省略する。
【００１２】
最近、ブルーレイロム（ＢＤ−ＲＯＭ：Ｂｌｕ−ｒａｙ  ＲＯＭ）のような高密度再生専用光ディスクに対する規格化作業が進んでいる。しかし、ＢＤ−ＲＯＭのような高密度再生専用光ディスクに記録されるビデオオーディオデータの再生を管理するデータ構造に対する効率的な解決策がまだ用意されていない。
発明の開示
【発明の開示】
【発明が解決しようとする課題】
【００１３】
したがって、本発明は前記のような実情を勘案して創作されたものであって、本発明の目的は、多重再生経路をベースにしてビデオデータの記録及び再生を管理できるようにするファイルまたはデータ構造を有する記録媒体を提供し、前記のようなデータ構造を記録して再生する装置と方法を提供することである。
【課題を解決するための手段】
【００１４】
本発明による記録媒体は記録媒体に記録される少なくとも多重再生経路ビデオデータの再生を管理するデータ構造を有する。記録媒体にはその記録媒体に記録される多重再生経路ビデオデータの再生を管理するナビゲーション管理情報が格納される少なくとも一つのナビゲーション領域が含まれる。少なくとも一つのナビゲーション領域には複数のデータブロックそれぞれに対応する複数のアングル変更記録情報を含む。
【００１５】
本発明の一実施態様では、少なくとも一つのナビゲーション領域内のエントリーポイントマップに複数のアングル変更記録情報を格納している。
【００１６】
記録媒体に記録される少なくとも多重再生経路ビデオデータの再生を管理するデータ構造を記録する方法に関する本発明の実施態様では、記録媒体の少なくとも一つのナビゲーション領域に多重再生経路ビデオデータの再生を管理するナビゲーション管理情報を記録することを含み、その少なくとも一つのナビゲーション領域には複数のデータブロックそれぞれに対応する複数のアングル変更記録情報が含まれていることを特徴とする。
【発明を実施するための最良の形態】
【００１７】
以下、本発明に対する望ましい実施形態に対して、添付した図面を参照して詳細に説明する。
【００１８】
本発明による高密度光ディスク、例えばＢＤ−ＲＯＭは、図２に示したように、ビデオオーディオデータの再生を管理するファイルまたはデータ構造を有する。図２のような本発明によるデータ構造は様々な面で図１に図示したＢＤ−ＲＥのデータ構造と同じである。したがって、同じ部分は詳細な説明を省略する。
【００１９】
図２に示したように、ルートディレクトリには少なくとも一つのＤＶＰディレクトリがある。ＤＶＰディレクトリには一般情報ファイル（ｉｎｆｏ．ｄｖｐ）、メニューファイル（ｍｅｎｕ．ｔｉｄｘ、ｍｅｎｕ．ｔｄｔ１等）、実再生リストファイル（＊．ｒｐｌｓ）と仮想再生リストファイル（＊．ｖｐｌｓ）が格納されるＰＬＡＹＬＩＳＴディレクトリ、クリップ情報ファイル（＊．ｃｌｐｉ）が格納されるＣＬＩＰＩＮＦディレクトリ、クリップ情報ファイルに対応するＭＰＥＧ−２フォーマットのＡ／Ｖストリームクリップファイル（＊．ｍ２ｔｓ）が格納されるＳＴＲＥＡＭディレクトリが含まれる。
【００２０】
ＳＴＲＥＡＭディレクトリにはクリップと呼ばれるＭＰＥＧ−２フォーマットのＡ／Ｖストリームクリップファイルが含まれており、また、ブリッジ−クリップＡ／Ｖストリームファイルと呼ばれる特別な形態のクリップも含まれている。ブリッジ−クリップはクリップのうちから選択された二つ以上の再生区間を滑らかに連結するために使用されるｍので、一般にクリップに比べてサイズが小さい。Ａ／Ｖストリームにはビデオオーディオデータのソースパケットが含まれる。ビデオオーディオデータのソースパケットはヘッダーと伝送パケットを含む。一つのソースパケットには自身にアクセスするためのアドレスの役割を果たすソースパケット番号ＳＰＮが含まれる。そのソースパケット番号は一般に順番に番号が割り当てられる。伝送パケットには一つのパケットＩＤ（ＰＩＤ）が含まれる。ＰＩＤは伝送パケットが属する伝送パケットシーケンスを識別する。伝送パケットシーケンスの各伝送パケットはＰＩＤが同じである。
【００２１】
ＣＬＩＰＩＮＦディレクトリには各Ａ／Ｖストリームファイルに連係するクリップ情報ファイルが含まれる。クリップ情報ファイルは連係するＡ／Ｖストリームの類型、シーケンス情報、プログラム情報、タイミング情報を指示する。シーケンス情報は到着時間基準ＡＴＣシーケンスとシステム時間基準ＳＴＣシーケンスを記述する。例えば、シーケンス情報はシーケンスの数、各シーケンスの開始と終わり時間情報、各シーケンス内の一番目のソースパケットのアドレス、各シーケンスの伝送パケットのＰＩＤを指示する。プログラムのコンテンツが続く伝送パケットシーケンスはプログラムシーケンスと呼ばれる。プログラム情報はプログラムシーケンスの個数、各プログラムシーケンスの開始アドレス、そしてプログラムシーケンスにある伝送パケットのＰＩＤを指示する。
【００２２】
タイミング情報は特徴ポイント情報（ＣＰＩ）と呼ばれる。ＣＰＩの一形態がＥＰマップである。ＥＰマップは、例えば、到着時間ＡＴＣ及び／またはシステム時間ＳＴＣを基準にして、ソースパケットのアドレス（例えば、ソースパケットの番号）に対するタイムスタンプを表示する。
【００２３】
ＰＬＡＹＬＩＳＴディレクトリには一つ以上の再生リストファイルがある。再生リストは再生のためのクリップを容易に編集したり組み合わせるために導入された概念である。再生リストファイルはクリップにある再生区間の集合であって、各再生区間は再生アイテムと呼ばれる。再生リストファイルは再生リストを形成する各再生アイテムを識別する。各再生アイテムはクリップの時間軸上の位置（例えば、ＡＴＣまたはＳＴＣ基準でプレゼンテーションタイムスタンプ）を示すＩＮ−ｐｏｉｎｔとＯＵＴ−ｐｏｉｎｔの対である。換言すれば、再生リストファイルは再生アイテムを識別し、各再生アイテムは一つのクリップまたはその一部を指示してクリップと連係するクリップ情報ファイルを識別する。クリップ情報ファイルは再生アイテムをソースパケットのクリップに連結するために使用される。
【００２４】
ＰＬＡＹＬＩＳＴディレクトリには実再生リスト（＊．ｒｐｌｓ）と仮想再生リスト（＊．ｖｐｌｓ）が含まれる。実再生リストはクリップだけを用いてブリッジ−クリップは用いることができない。すなわち、実再生リストはクリップの一部を参照することと見られるので、概念的にディスク上でクリップの一部を参照することと同じことであらる。仮想再生リストはクリップとブリッジ−クリップをすべて用いることができるので、実際再生リストの概念は仮想再生リストと並存しない。
【００２５】
「ｉｎｆｏ．ｄｖｐ」ファイルは光ディスクに記録されるＡ／Ｖストリームの再生を管理する一般的な情報を提供する一般情報ファイルであり、ＰＬＡＹＬＩＳＴディレクトリにある再生リストのファイル名を識別する再生リスト目録を含む。前記「ｉｎｆｏ．ｄｖｐ」ファイルに対しては本発明の実施形態と関連して次にさらに詳細に説明する。
【００２６】
図２では、本発明の実施形態による記録媒体のデータ構造を示すだけでなく、記録媒体の領域をも示している。例えば、一般情報ファイルは一つ以上の一般情報領域に記録され、再生リストディレクトリは一つ以上の再生リストディレクトリ領域に記録され、再生リストディレクトリ内の各再生リストは前記記録媒体の一つ以上の再生リスト領域に記録される。図２のデータ構造を有する記録媒体を例示している図３に示したように、記録媒体にはファイルシステム情報領域、データベース領域、Ａ／Ｖストリーム領域が含まれている。データベース領域には一般情報ファイルと再生リスト情報が記録される領域とクリップ情報領域とが含まれる。一般情報ファイルと再生リスト情報が記録される領域には、一般情報ファイル領域の一般情報ファイルと、再生リスト情報領域のＰＬＡＹＬＩＳＴディレクトリと再生リストファイルが記録される。クリップ情報領域には、ＣＬＩＰＩＮＦディレクトリと、関連クリップ情報ファイルが記録される。Ａ／Ｖストリーム領域には多様なタイトルのＡ／Ｖストリームが記録される。
【００２７】
ビデオオーディオデータは一般に個別タイトルとして編成されている。例えば、ビデオオーディオデータにより表現される異なる映画は異なるタイトルとして編成される。また、タイトルは、本がチャプターとして編成されるように様々なチャプターに編成できる。
【００２８】
ＢＤ−ＲＯＭのような新しい高密度記録媒体の記録容量が非常に大きいため、異なるタイトルや、多くのバージョンのタイトルまたは一タイトルの一部を格納して再生することができる。例えば、他のカメラアングルのビデオデータを記録媒体に記録したり、他の実施形態では、タイトルに対する多くのバージョンまたは異なる言語と関連した一部も記録媒体に記録することができる。また他の実施形態でが、タイトルの監督バージョンまたは映画館用バージョンも記録媒体に記録することができる。または、一タイトルの成人バージョン、青年バージョン、父母が制限できる少年バージョンなども記録媒体に記録することができる。各バージョンは異なる再生経路を有している。このような場合のビデオデータは多重再生経路ビデオデータと呼ばれる。本発明は、多重経路ビデオデータに対する前記例に限らず、多重再生経路ビデオデータのある類型またはこれらの組合に対しても適用可能である。後の実施形態で詳細に説明するように、本発明のデータ構造は、記録媒体に記録される多重再生経路ビデオデータの再生を管理するための経路管理情報及び／またはナビゲーション情報を含む。
【００２９】
図４は、複数のＳＥＳＦ（Ｓｅｌｆ−Ｅｎｃｏｄｅｄ  Ｓｔｒｅａｍ  Ｆｏｒｍａｔ）カプセルを含むＳＥＳＦ伝送ストリーム（ＴＳ）を示している。各ＳＥＳＦカプセルはＴＩＰソースパケットを有し、ビデオデータパケット「Ｖ」の多重化ユニット（Ｍｕｌｔｉｐｌｅｘｉｎｇ  Ｕｎｉｔ）がその後に続く。一つのＳＥＳＦ  ＴＳは一つまたはそれ以上のＳＥＳＦカプセルから構成されて、各ＳＥＳＦカプセルはＳＥＳＦ  ＴＩＰパケットから始まる。各ＴＩＰにはソースパケットに対するオーディオまたはビデオストリーム情報が含まれている。オーディオまたはビデオストリーム情報にはプログラムマップ目録（ＰＭＴ：Ｐｒｏｇｒａｍ  Ｍａｐ  Ｔａｂｌｅ）が含まれる。そのＰＭＴは各基本ストリーム（ＥｌｅｍｅｎｔａｒｙＳｔｒｅａｍｓ）ＰＩＤが含まれるＴＳパケットである。ＴＳパケットでもあるプログラム連係目録（ＰＡＴ：Ｐｒｏｇｒａｍ  Ａｓｓｏｃｉａｔｉｏｎ  Ｔａｂｌｅ）はいろいろのＰＭＴを識別するＰＩＤを備えている。
【００３０】
図５は、本発明によるクリップ情報ファイルの一部を示したものである。図５に示したように、ＥＰ_ｍａｐ_ｆｏｒ_ｏｎｅ_ｓｔｒｅａｍ_ＰＩＤエントリーは、一つの基本ストリーム内で同一のＰＩＤを有するパケットに対するＰＴＳ値とアドレスの目録（テーブル）を収めるために使われる。このような目録は一括してデータ構造の特徴ポイント情報（ＣＰＩ）の一部であるＥＰマップを定義する。そのＣＰＩはＡ／Ｖストリームでの時間情報とＡ／Ｖストリームにおけるアドレス情報を関連させる。
【００３１】
目録のサイズを減らしてシステムのサーチ性能を向上させるために、ＥＰ_ｍａｐ_ｆｏｒ_ｏｎｅ_ｓｔｒｅａｍ_ＰＩＤはＥＰ_ｃｏａｒｓｅとＥＰ_ｆｉｎｅという２個のサブ目録に分けられる。ＥＰ_ｆｉｎｅにはＰＩＤと連係する各パケットに対するソースパケット番号スタート（Ｓｏｕｒｃｅ  Ｐａｃｋｅｔ  Ｎｕｍｂｅｒ  Ｓｔａｒｔ）とプレゼンテーションタイムスタンプスタート（Ｐｒｅｓｅｎｔａｔｉｏｎ  Ｔｉｍｅ  Ｓｔａｍｐ  Ｓｔａｒｔ）のＬＳＢ（最下位ビットから１ビットを含むいくつかのビット）が入れられる。ＥＰ_ｃｏａｒｓｅはＥＰ_ｆｉｎｅを参照して、同じプレゼンテーションタイムスタンプスタートを有するＥＰ_ｃｏａｒｓｅエントリーに対応するＥＰ_ｆｉｎｅ番号、ソースパケット番号、プレゼンテーションタイムスタンプスタートのＭＳＢ（最上位ビットから１ビットを含むいくつかのビット）を収める。ＥＰ_ｃｏａｒｓｅサブ目録にあるエントリーの個数はＥＰ_ｆｉｎｅサブ目録より相対的に少ない。
【００３２】
ＥＰ_ｍａｐ_ｆｏｒ_ｏｎｅ_ｓｔｒｅａｍ_ＰＩＤに対するＥＰマップには、同じＰＩＤに対応するＡ／Ｖストリーム内のソースパケットを管理するために、プレゼンテーションタイムスタンプエントリーポイントスタート（ＰＴＳ_ＥＰ_ｓｔａｒｔ）とソースパケット番号エントリーポイントスタート（ＳＰＮ＿ＥＰ＿ｓｔａｒｔ）が格納される。
【００３３】
ＥＰ_ｆｉｎｅ_ｔａｂｌｅ_ｓｔａｒｔ_ａｄｄｒｅｓｓは１番目のＥＰ_ｖｉｄｅｏ_ｔｙｐｅ[ＥＰ_ｆｉｎｅ_ｉｄ]フィールドの開始アドレスであって、ＥＰ_ｍａｐ_ｆｏｒ_ｏｎｅ_ｓｔｒｅａｍ_ＰＩＤの１番目のバイトからの相対バイト数である。ｒｅｆ_ｔｏ_ＥＰ_ｆｉｎｅ_ｉｄはこのフィールドの後に続くＰＴＳ_ＥＰ_ｃｏａｒｓｅと関連するＰＴＳ_ＥＰ_ｆｉｎｅを含むＥＰ_ｆｉｎｅエントリー番号である。ＰＴＳ_ＥＰ_ｃｏａｒｓｅとＳＰＮ＿ＥＰ＿ｃｏａｒｓｅはすべてエントリーポイントに対するＰＴＳ_ＥＰ_ｓｔａｒｔから誘導される。
【００３４】
各ＥＰマップエントリーに対して、ＥＰ_ｖｉｄｅｏ_ｔｙｐｅ[ＥＰ_ｆｉｎｅ_ｉｄ]とＩ_ｅｎｄ_ｐｏｓｉｔｉｏｎ_ｏｆｆｓｅｔ[ＥＰ_ｆｉｎｅ_ｉｄ]にはいろいろな条件の組合せが定義される。例えば、Ｉ_ｅｎｄ_ｐｏｓｉｔｉｏｎ_ｏｆｆｓｅｔ[ＥＰ_ｆｉｎｅ_ｉｄ]として特定のビデオ類型に対して「０００」以外の値に設定されると、これはＳＰＮ＿ＥＰ＿ｓｔａｒｔにより指示されるＩ−Ｐｉｃｔｕｒｅを含むビデオアクセスユニットの終わりに対するオフセットアドレスであることを指す。
【００３５】
図６は、本発明のデータ構造でアングル変更要求のような特定条件を設定するのに使われるＥＰマップに格納される上述した媒介変数の可能な組合せを示している。図６で、多くの要素として、ＥＰ_ｖｉｄｅｏ_ｔｙｐｅ[ＥＰ_ｆｉｎｅ_ｉｄ]、Ｉ_ｅｎｄ_ｐｏｓｉｔｉｏｎ_ｏｆｆｓｅｔ[ＥＰ_ｆｉｎｅ_ｉｄ]、ＰＴＳ_ＥＰ_ｆｉｎｅ、ＳＰＮ＿ＥＰ＿ｆｉｎｅがある。
【００３６】
ＥＰ_ｖｉｄｅｏ_ｔｙｐｅが「０」に設定されると、ＰＴＳ_ＥＰ_ｆｉｎｅとＳＰＮ＿ＥＰ＿ｆｉｎｅはＳＥＳＦカプセルの先頭にあるＴＩＰパケットスタートＳＰＮに該当する値になる。
【００３７】
２番目の条件では、ＥＰ_ｖｉｄｅｏ_ｔｙｐｅは「１」に設定されるとともにＩ_ｅｎｄ_ｐｏｓｉｔｉｏｎ_ｏｆｆｓｅｔは「０００」に設定されるが、この場合ＰＴＳ_ＥＰ_ｆｉｎｅとＳＰＮ＿ＥＰ＿ｆｉｎｅはソースパケット番号から相対的な１番目のＩ−Ｐｉｃｔｕｒｅエンド（Ｆｉｒｓｔ_Ｉ_Ｅｎｄ_ｒｅｌａｔｉｖｅ_ＳＰＮ）に対応する値に置換される。
【００３８】
３番目の条件では、Ｉ_ｅｎｄ_ｐｏｓｉｔｉｏｎ_ｏｆｆｓｅｔが「００１」に設定されると、ＰＴＳ_ＥＰ_ｆｉｎｅとＳＰＮ＿ＥＰ＿ｆｉｎｅはソースパケット番号から相対的な１番目のＰ−Ｐｉｃｔｕｒｅエンド（Ｆｉｒｓｔ_Ｐ_Ｅｎｄ_ｒｅｌａｔｉｖｅ_ＳＰＮ）に対応する値になり、Ｉ_ｅｎｄ_ｐｏｓｉｔｉｏｎ_ｏｆｆｓｅｔが「０１０」に設定されると、ＰＴＳ_ＥＰ_ｆｉｎｅとＳＰＮ＿ＥＰ＿ｆｉｎｅはソースパケット番号から相対的な２番目のＰ−Ｐｉｃｔｕｒｅエンド（Ｓｅｃｏｎｄ_Ｐ_Ｅｎｄ_ｒｅｌａｔｉｖｅ_ＳＰＮ）に対応する値になる。
【００３９】
４番目の条件では、Ｉ_ｅｎｄ_ｐｏｓｉｔｉｏｎ_ｏｆｆｓｅｔが「１００」に設定されると、ＰＴＳ_ＥＰ_ｆｉｎｅとＳＰＮ＿ＥＰ＿ｆｉｎｅはアングル変更（ＡＣ：Ａｎｇｌｅ  Ｃｈａｎｇｅ）またはソースパケット番号から相対的なインタリーブされたユニットエンド（ＩＬＶＵ_Ｅｎｄ_ｒｅｌａｔｉｖｅ_ＳＰＮ）に対応する値になる。すなわち、アングル変更が許されることが確認される。
【００４０】
上述したそれぞれの条件は、ＥＰマップに特定の情報を記録し、データ構造における臨界位置を決定するためにその特定の情報を用いることによって、光ディスクにデータを記録し、再生して管理する効果的な方法を示すために例示したものである。
【００４１】
図７は、本発明による光ディスク記録及び再生装置に対する構成を示したものである。Ａ／Ｖエンコーダ９は、オーディオビデオデータの入力を受けてエンコーディングして、コーディング情報をストリーム特性情報と共にマルチプレクサ８に出力する。マルチプレクサ８は、例えば、ＭＰＥＧ−２伝送ストリームを生成するために、入力されたコーディング情報とストリーム特性情報を基礎にしてエンコーディングされたオーディオビデオデータを多重化する。ソース・パケッタイザ７はマルチプレクサから入力された伝送パケットを光ディスクのオーディオビデオフォーマットに合うソースパケットでパケット化する。図７に示したように、Ａ／Ｖエンコーダー９、マルチプレクサ８、ソース・パケッタイザ７の動作はコントローラ１０により制御される。コントローラ１０がユーザーから記録命令を受信すると、Ａ／Ｖエンコーダ９、マルチプレクサ８、ソース・パケッタイザ７に制御情報を送る。例えば、コントローラ１０は、Ａ／Ｖエンコーダー９に実行するエンコーディング類型を指示し、マルチプレクサ８に生成する伝送ストリームを指示し、ソース・パケッタイザ７にソースパケットのフォーマットを指示する。また、コントローラ１０は光ディスクにソース・パケッタイザ７の出力を記録するようにドライブ３を制御する。
【００４２】
また、コントローラ１０は光ディスクに記録されているオーディオビデオデータの再生を管理するためのナビゲーション管理情報を生成する。例えば、ユーザーとのインターフェース（ディスクに格納されているか、イントラネットまたはインターネットを介して提供する命令語）を介して受けた情報を基礎にして、コントローラ１０は光ディスクに図２、図３、図５、図６のデータ構造を記録するようにドライブ３を制御する。
【００４３】
再生期間には、コントローラ１０はデータ構造を再生するようにドライブ３を制御する。すなわち、ディスクに含まれた情報とユーザーインターフェース（記録及び再生装置の操作ボタンまたはその装置と関連した遠隔操作）を介して受けたユーザー入力を基礎にして、コントローラ１０は光ディスクからオーディオビデオソースパケットを再生するようにドライブ３を制御する。例えば、ユーザー入力は再生する経路を指定できる。このようなユーザー入力を、例えば、コントローラ１０にあらかじめプログラムされたＧＵＩベースのメニューを介して、指定することができる。ユーザー入力と光ディスクから読み出される経路管理情報を利用して、コントローラ１０は指定された経路の再生を制御する。
【００４４】
例えば、ユーザーはユーザーインターフェースを介してコントローラ１０にアングル変更を要求すると、コントローラ１０はユーザーがアングル変更を要求したことを確認する。また、コントローラ１０はＥＰマップを参考にしてユーザーのアングル変更要求が許されるのか否かを確認する。ＥＰマップに格納された情報によって、アングル変更をすぐ行ったり、遅くしたり、または拒絶することもできる。
【００４５】
ソース・デパケッタイザ４は再生されたソースパケットの入力を受けてＭＰＥＧ−２伝送パケットストリームのようなデータストリームに変換する。デマルチプレクサ５はデータストリームをエンコーディングされたビデオオーディオデータに逆多重化する。Ａ／Ｖデコーダー６はエンコーディングされたビデオオーディオデータをデコーディングして元のビデオオーディオデータにする。再生期間における、ソース・デパケッタイザー４、デマルチプレクサ５、Ａ／Ｖデコーダ６の動作はコントローラ１０により制御される。コントローラ１０がユーザーから再生命令を受信すると、ソース・デパケッタイザ４、デマルチプレクサ５、Ａ／Ｖデコーダ６に制御情報を送る。例えば、コントローラ１０は、ソース・デパケッタイザ４にソースパケットのフォーマットを指示し、デマルチプレクサ５に逆多重化する伝送ストリームを指示し、Ａ／Ｖデコーダ６に実行するデコーディング類型を指示する。
【００４６】
図７には記録及び再生装置に関して図示しているが、図７の構成要素一部だけで記録動作または再生作動だけ提供する専用記録装置または専用再生装置も可能である。
【００４７】
図８は、ＥＰ_ｍａｐ_ｆｏｒ_ｏｎｅ_ｓｔｒｅａｍ_ＰＩＤに記録されるフラグを検出してアングル変更を実行するための上述したデータ管理システムの実施形態を示したものである。図８に示したように、多重再生経路データは図６の４番目の条件により区分されるアングルブロック単位で記録される。４番目の条件でＰＴＳ_ＥＰ_ｆｉｎｅとＳＰＮ＿ＥＰ＿ｆｉｎｅはアングル変更（ＡＣ）またはＩＬＶＵ_Ｅｎｄ_ｒｅｌａｔｉｖｅ_ＳＰＮに対応する値を有する。一つの再生経路に対するデータは一つまたはそれ以上のアングルブロックとして記録されて、そのアングルブロックはインタリーブされる。
【００４８】
ユーザーがアングル１（Ａｎｇｌｅ  １）のデータストリームを再生する途中アングル２（Ａｎｇｌｅ  ２）にアングル変更を要求する時、下で詳細に説明するようにＥＰマップに記録される選択された媒介変数に対して所定の条件が存在する時にだけアングル変更が実行されることができる。
【００４９】
この実施形態で、アングル変更要求を受ければ、システムではＥＰマップを検討してアングル変更が許されるか否かを確認する。システムは、Ａ／Ｖストリームに対するアドレス情報をＥＰに格納された情報と比較して、アドレス情報が図６の４番目の条件に該当しているか、すなわちアングル変更要求がアングル変更が許されるアングルポイントで発生したかを確認する。図８に示したように、アングル変更は、アングルブロックの終わりに至るまで、そしてシステムがアングル変更プロセスを許す図６の４番目の条件が満足されるまで遅らされる。アングル変更が実行されると、システムはＡ／Ｖストリームのアングル２（Ａｎｇｌｅ  ２）をスキップして要求されたアングルに対するＳＰＮ_ｓｔａｒｔアドレス、この場合アングル２（Ａｎｇｌｅ  ２）の２番目のデータブロックへ移動する。
【００５０】
したがって、前記のように構成される本発明は、多重再生経路をベースにしてビデオデータの記録及び再生を管理できるようにすることによって、ユーザーの嗜好や便宜に合せてビデオデータを再生できる柔軟性を提供する。
【図面の簡単な説明】
【００５１】
【図１】再記録可能ブルーレイディスク（ＢＤ−ＲＥ）の規格による再記録可能光ディスクのファイルまたはデータ構造を示したものである。
【図２】本発明による記録媒体のファイルまたはデータ構造に対する実施形態を示したものである。
【図３】本発明による記録媒体に対する実施形態を示したものである。
【図４】図２のデータ構造で使われるＳＥＳＦ伝送ストリームを示したものである。
【図５】本発明による高密度光ディスクに対するサーチ情報管理方法により記録されて管理されるＥＰマップに対するデータ構造の一実施形態を示したものである。
【図６】本発明による高密度光ディスクに対するサーチ情報管理方法により記録されて管理されるＥＰマップに対する実施形態を示したものである。
【図７】本発明による光ディスク記録及び再生装置の構成を示したものである。
【図８】本発明による高密度光ディスクに対するサーチ情報管理方法を基礎にする多重アングル再生プロセスを示したものである。
【図１】
2005531873.tif 000003
【図２】
2005531873.tif 000004
【図３】
2005531873.tif 000005
【図４】
2005531873.tif 000006
【図５】
2005531873.tif 000007
【図６】
2005531873.tif 000008
【図７】
2005531873.tif 000009
【図８】
2005531873.tif 000010
【国際調査報告】
2005531873.tif 000011
2005531873.tif 000012